(57)【要約】【課題】映像データをダビングした側の機器で編集作業を行う場合に、目的とする正しい映像データに対して編集が行えるようにする。【解決手段】外部より伝送された映像データを記録媒体に記録させた場合に、その映像データを特定するのに必要な特定データを記憶すると共に、記録媒体に記録された映像データに対して編集が行われた場合に、その編集データを記憶する記憶手段を備えた場合において、媒体装着手段に装着された記録媒体に対して編集を行う前に、媒体装着手段に装着された記録媒体に記録された所定のデータと、記憶手段に記憶された特定データとを照合して（ステップＳ１４）、いずれかの特定データと一致したデータがある場合に、編集を実行させる（ステップＳ１５）。【選択図】        図３
2004319008.tif 000002
【特許請求の範囲】
【請求項１】
記録媒体を着脱自在に装着できる媒体装着手段と、
前記媒体装着手段に装着された記録媒体に、外部より伝送された映像データを記録し、その記録された映像データを再生する記録再生処理手段と、
前記記録再生処理手段で外部より伝送された映像データを記録媒体に記録させた場合に、その映像データを特定するのに必要な特定データを記憶すると共に、前記記録媒体に記録された映像データに対して編集が行われた場合に、その編集データを記憶する記憶手段と、
前記媒体装着手段に装着された記録媒体に記録された所定のデータと、前記記憶手段に記憶された特定データとを照合して、いずれかの特定データと一致した所定のデータがある場合に、一致した映像データがあるを表示させる制御手段とを備えた
記録再生装置。
【請求項２】
請求項１記載の記録再生装置において、
前記制御手段は、一致した映像データであることが表示された映像データに対してだけ、編集を実行させる制御を行う
記録再生装置。
【請求項３】
請求項２記載の記録再生装置において、
前記制御手段は、前記記憶手段に記憶された編集データに基づいて、前記映像データの供給源に対する再生制御データを生成させて、前記映像データが記録された記録媒体とは別の記録媒体に、編集された映像データを記録させる制御を行う
記録再生装置。
【請求項４】
請求項１記載の記録再生装置において、
前記制御手段は、前記映像データの供給源に対しても、前記記憶手段に記憶された特定データに基づいて、用意されたデータと照合を行う
記録再生装置。
【請求項５】
請求項１記載の記録再生装置において、
前記特定データは、映像データの記録開始時間のデータである
記録再生装置。
【請求項６】
請求項１記載の記録再生装置において、
前記特定データは、映像データの長さのデータである
記録再生装置。
【発明の詳細な説明】
【０００１】
【発明の属する技術分野】
本発明は、例えばＤＶＤ（Ｄｉｇｉｔａｌ  Ｖｉｄｅｏ  Ｄｉｓｃ又はＤｉｇｉｔａｌ  Ｖｅｒｓａｔｉｌｅ  Ｄｉｓｃ）レコーダと称されるディスク記録再生装置に適用して好適な記録再生装置に関し、特に記録された映像に対する編集が行えるものに関する。
【０００２】
【従来の技術】
近年、映像データや音声データを記録する記録再生装置として、光ディスクを記録媒体として使用したものが、各種開発されている。例えば、映像データを記録する記録媒体として、ＤＶＤ−Ｒ，ＤＶＤ−ＲＷなどのＤＶＤ規格をベースに開発されたディスク状の記録媒体を使用して、１枚のディスクに２時間程度の映像データを記録し再生するディスク記録再生装置が各種製品化されている。
【０００３】
この種のディスク記録再生装置の場合、ビデオテープを使用したＶＴＲ装置の場合と異なり、ディスク上の任意の記録位置に簡単にアクセスできるので、ディスクに記録された映像データを使用して、編集作業を行うことが容易にできる利点を有する。即ち、ディスクに記録された１本の映像プログラムの中から、必要な箇所だけを再生したり、或いは不要な箇所を再生しない指示を行うことが比較的容易にできる。
【０００４】
また、このようにして編集された結果のデータ（再生位置や再生不要位置などの編集点に関するデータ：以下このデータを編集データと称する）を、何らかの記憶手段に記憶しておき、その編集データに基づいて、別の再生装置からの再生の制御を行うことも提案されている。具体的には、例えば、撮影した映像をビデオテープやディスクなどの媒体に記録し再生できるビデオカメラレコーダを用意して、そのビデオカメラレコーダをディスク記録再生装置に接続する。このとき、ビデオカメラレコーダでの再生状態（再生開始，停止など）を、ディスク記録再生装置で制御できるように接続する。そして、まず最初にビデオカメラレコーダ内の媒体に記録された映像データを再生して、そのままディスク記録再生装置でディスクに記録させる。
【０００５】
その後、ディスク記録再生装置側で、映像データが記録されたディスクを再生させながら編集作業を行い、ディスク記録再生装置内のメモリに、編集データを記憶させておく。
【０００６】
この編集データが得られると、次にディスク記録再生装置に、映像データが未記録の別のディスクを用意して、再度ビデオカメラレコーダ内の媒体に記録された映像データを再生して、その別のディスクに記録させる。但し、このときには、編集データに基づいてビデオカメラレコーダの再生位置を制御して、編集された状態でディスクに記録させる。
【０００７】
このようにしたことで、ディスクには編集された映像プログラムが記録されることになり、映像を送出する側の機器に編集機能がない場合や、別体の編集装置を用意しなくても、映像プログラムの編集が行える。特許文献１には、このような編集作業が行える記録再生装置についての開示がある。
【０００８】
【特許文献１】
特開平９−１８２００８号公報
【０００９】
【発明が解決しようとする課題】
ところで、ＤＶＤレコーダなどのディスク記録再生装置は、記録媒体であるディスクの入れ替えが可能であるため、ディスク記録再生装置のメモリに、編集データを記憶させたとしても、その編集データと装置に装着されたディスクの映像プログラムとが一致しない可能性があり、そのような場合には編集が失敗してしまう。ところが、従来このような場合の編集データとディスクとの一致処理は、ユーザの選択操作に任されていて、ユーザが間違えたディスクを装着した場合に、失敗を防ぐことはできなかった。
【００１０】
また、元の映像プログラムを送出する再生装置（上述例でのビデオカメラレコーダ）についても、用意された映像プログラムがディスク記録再生装置で編集した映像プログラムと一致したものでないと、最終的にディスクにダビングしたときに、ユーザが編集操作したプログラムとは全く違うものになって、失敗してしまうが、このような送出側での不一致による失敗についても、ユーザが間違えて別の映像プログラムが記録された媒体を装着した場合に防ぐことはできなかった。
【００１１】
本発明の目的は、映像データをダビングした側の機器で編集作業を行う場合に、目的とする正しい映像データに対して編集が行えるようにすることにある。
【００１２】
【課題を解決するための手段】
本発明は、外部より伝送された映像データを記録媒体に記録させた場合に、その映像データを特定するのに必要な特定データを記憶すると共に、記録媒体に記録された映像データに対して編集が行われた場合に、その編集データを記憶する記憶手段を備えた場合において、媒体装着手段に装着された記録媒体に対して編集を行う前に、媒体装着手段に装着された記録媒体に記録された所定のデータと、記憶手段に記憶された特定データとを照合して、いずれかの特定データと一致したデータがある場合に、そのことを表示させるようにしたを特徴とするものである。
【００１３】
このようにしたことで、特定データで示される映像と、記録媒体に記録された映像とが一致する場合に、そのことが表示されて、編集可能な映像が表示から確実に判るようになる。
【００１４】
【発明の実施の形態】
以下、本発明の一実施の形態を、図１〜図６を参照して説明する。
【００１５】
本例においては、ＤＶＤ規格をベースに開発されたディスク状の記録媒体であるＤＶＤ−Ｒ，ＤＶＤ−ＲＷ，ＤＶＤ＋ＲＷ方式の記録媒体に対して記録や再生を行うことができるＤＶＤレコーダに適用した例としてある。これ以外のＤＶＤ規格に関係したディスク（ＤＶＤ−ＲＡＭなど）の記録や再生が行えるように構成しても良い。
【００１６】
図１は、本例のＤＶＤレコーダであるディスク記録再生装置の構成例を示したブロック図である。まずディスク記録再生装置１０の記録系について説明すると、本例のディスク記録再生装置１０は、接続したアンテナ１を介して得られた放送波をチューナ１１で受信する構成としてあり、このチューナ１１で受信して得られた映像信号及び音声信号を、切換スイッチ１２を介してアナログ／デジタル変換器１４に供給し、デジタルデータとする。チューナ１１としては、地上波を受信するチューナの他に、衛星放送波を受信するチューナであっても良い。チューナ１１での受信チャンネルについては、この記録再生装置１０の各部の動作制御を行う制御部３０により制御される。また、チューナ１１で受信した放送波に、ＥＰＧ（Ｅｌｅｃｔｒｉｃ  Ｐｒｏｇｒａｍ  Ｇｕｉｄｅ）と称される電子番組情報などの補助データが含まれている場合には、その補助データを制御部３０に送る。制御部３０は、電子番組情報が供給されるとき、制御部３０に接続されたメモリ３１に記憶させる。ここではメモリ３１は、不揮発性のメモリであるフラッシュメモリで構成される。
【００１７】
アナログ／デジタル変換器１４で変換されたデジタルデータは、ＭＰＥＧ（Ｍｏｖｉｎｇ  Ｐｉｃｔｕｒｅ  ｃｏｄｉｎｇ  Ｅｘｐｅｒｔｓ  Ｇｒｏｕｐ  ）エンコーダ１５に供給して、ＭＰＥＧ２方式にエンコードされた映像データ及び音声データとする。ＭＰＥＧ２方式にエンコードされた映像データ及び音声データは、記録再生処理部１８に供給して、光学ピックアップ１９でディスクトレイ２０に装着されたディスク２１に記録するための記録処理を行う。本例のディスク記録再生装置１０は、ディスクトレイ２０がローディング機構により開閉できる構成としてあり、ディスクをトレイに着脱自在に装着できる構成（即ちディスクを交換できる構成）としてある。
【００１８】
トレイ２０に載置されたディスク２１は、スピンドルモータ２２により回転駆動された状態で、光学ピックアップ１９から照射されるレーザ光によりデータが記録される。
【００１９】
また本例のディスク記録再生装置１０は、アナログの映像信号及び映像信号が入力される入力端子１３と、シリアルバスラインが接続されるポート１６とを備えて、それぞれの入力端子１３又はポート１６に得られる信号の記録もできる。入力端子１３に得られるアナログの映像信号及び映像信号については、切換スイッチ１２を介してアナログ／デジタル変換器１４に供給され、チューナ１１の出力の代わりに記録させることができる。
【００２０】
シリアルバスラインが接続されるポート１６については、ここではＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  ）１３９４方式のバスラインが接続されるポートとしてあり、インターフェース部１７で、ＩＥＥＥ１３９４方式の送信処理及び受信処理が実行される。インターフェース部１７では、バスラインを介して得られたデータの中から映像データと音声データを抽出して、ＭＰＥＧエンコーダ１５に供給し、ＭＰＥＧ２方式にエンコードされた映像データ及び音声データとして、記録処理を行う。なお、バスラインを介して得られた映像データと音声データが、既にＭＰＥＧ方式にエンコードされたデータである場合には、ＭＰＥＧエンコーダ１５でのエンコードは行わない。
【００２１】
また、ＩＥＥＥ１３９４方式のバスラインでは、映像データや音声データなどのストリームデータとは別に、各種制御データを双方向に伝送できる構成としてあり、外部からポート１６を介してインターフェース部１７に得られる制御データについては、制御部３０に供給するようにしてある。また、制御部３０で生成された制御データについても、インターフェース部１７に供給して、ポート１６からバスライン側に送出できる構成としてある。このバスラインを介して伝送される制御データとしては、例えば、バスラインを介して接続した映像再生装置の再生を制御するデータがある。また、制御データの伝送で、相手の機器の動作状態を検出することも可能である。
【００２２】
また、ポート１６を介して受信した映像データをディスク２１に記録させる際には、制御部３０の制御で生成されたタイトルデータを、ディスクに記録させるようにしてある。このディスクに記録させたタイトルデータは、ディスクに記録させるだけでなく、制御部３０に接続されたメモリ３１にも同時に保存させても良い。タイトルデータの詳細については後述する。
【００２３】
次に、本例のディスク記録再生装置１０の再生系について説明すると、光学ピックアップ１９から照射されるレーザ光の戻り光の検出により、ディスク２１に記録済のデータを再生することができる。この再生時と記録時では、光学ピックアップ１９から照射するレーザ光の出力が異なり、記録時にはディスクの信号記録層に記録ができる比較的強い出力としてあり、再生時には信号記録層を変化させずに読み出すことができる比較的弱い出力とされる。
【００２４】
光学ピックアップ１９からの出力に基づいて、記録再生処理部１８でディスクから再生したデータを検出し、その再生データをＭＰＥＧデコーダ２３に供給する。ＭＰＥＧデコーダ２３では、ディスクにＭＰＥＧ方式で記録された映像データ及び音声データをデコードする処理が行われ、そのデコードされた映像データ及び音声データを、デジタル／アナログ変換器２４に供給し、アナログの映像信号及び音声信号とする。
【００２５】
そして、デジタル／アナログ変換器２４で変換されたアナログの映像信号及び音声信号を、混合器２５を介して出力端子２７に供給する。出力端子２７は、テレビジョン受像機などの映像表示装置に接続させて、その表示装置に映像を表示させる。混合器２５は、表示処理部２６で生成された文字，図形などを画面中に表示させるための信号を、再生映像信号に混合する回路である。表示処理部２６では、制御部３０の制御に基づいて、記録状態，再生状態などを文字，数字で表示させる処理を行うだけでなく、例えば各種モード設定時に、その操作に必要な画面を表示させる。例えば、後述するプロジェクト一覧表示を行う際の表示画面を、表示処理部２６で生成させる処理を行う。
【００２６】
また、ディスク記録再生装置１０本体にも表示パネル３２を設けてあり、動作状態や記録時間、再生時間などの比較的簡単な表示ができるようにしてある。また、操作キー３３を備えて、その操作キー３３の操作に基づいた指令が、制御部３０に届くようにしてある。なお、記録再生装置１０本体に取付けられたキー３３の他に、図示しないリモートコントロール装置などからの遠隔制御信号によっても、この記録再生装置１０のコントロールが可能である。
【００２７】
また本例のディスク記録再生装置１０は、この記録再生装置１０で映像データなどを記録させたディスク２１に対して、その記録済の映像の編集が行えるようにしてあり、編集データを、制御部３０に接続されたメモリ３１にプロジェクトデータとして記憶させることができる。ここでの編集データとは、例えば、それぞれの映像プログラムの中の再生を行う区間（シーン）の始点，終点（或いは再生を行わない区間の始点，終点）や、各シーンの再生順序などのデータである。
【００２８】
次に、このように構成されるディスク記録再生装置１０を使用して、外部から伝送される映像プログラムをディスク２１に記録した後に、その記録された映像プログラムの編集を行う場合の処理例について説明する。ここでは、例えば図２に示すように、ビデオカメラレコーダ４０を用意して、そのビデオカメラレコーダ４０に用意されたＩＥＥＥ１３９４方式のポート４１を、本例のディスク記録再生装置１０のポート１６と接続して、ビデオカメラレコーダ４０内に装着されたビデオテープカセットに記録された映像プログラムを、ディスク記録再生装置１０でディスクにダビングして編集を行うようにしてある。ビデオカメラレコーダ４０のポート４１と、ディスク記録再生装置１０のポート１６との間は、ＩＥＥＥ１３９４規格のケーブル２で接続する。即ち、ケーブル２の一端２ａを、ビデオカメラレコーダ４０のポート４１に接続し、ケーブル２の他端２ｂを、ディスク記録再生装置１０に接続する。
【００２９】
この場合、ビデオカメラレコーダ４０については、ケーブル２を介してディスク記録再生装置１０から伝送される制御データにより、再生動作などのコントロールが可能な機種としてある。また、ディスク記録再生装置１０については、既に説明したように、ディスクトレイ２０が開閉自在な構成としてあり、ディスクの交換が可能である。
【００３０】
次に、図２に示すように接続した上で、ビデオカメラレコーダ４０に装着されたビデオテープカセットに記録された映像プログラム（映像データ及び音声データ）を、ディスク記録再生装置１０に装着されたディスクに記録させて、そのディスクに記録された映像プログラムを編集する処理の流れを、図３を参照して説明する。
【００３１】
まず、図３に示すように、ディスク記録再生装置１０には、映像などが未記録のディスク（或いは記録させる映像プログラムが記録できる容量の未記録エリアを有するディスク：以下これらを総称して記録可能なディスクと称する）を用意して装着する。ここでは、このディスクをディスクＡとする。そして、ビデオカメラレコーダ４０に装着されたビデオテープカセットに記録された映像プログラムを再生させて、再生された映像データ及び音声データをディスク記録再生装置１０に送り、ディスクＡに記録させるダビングを行う（ステップＳ１１）。このダビング時の処理の詳細については、図４のフローチャートを参照して後述するが、ここでは、記録（ダビング）を開始した時刻と、映像プログラムの再生長を、ディスク記録再生装置１０内の制御部３０が判断して、その時刻及び再生長のデータを、メモリ３１にプロジェクトデータの一部として記憶（保存）させるようにしてある（ステップＳ１２）。なお、ここでの時刻とは、例えば年月日時分秒のデータとする。
【００３２】
また、ディスクＡには、映像プログラムを構成する映像データだけでなく、その映像プログラムのタイトルデータを記録させるようにしてある。ここでのタイトルデータとしては、プロジェクトデータの一部として得た、時刻及び再生長のデータを記録させる。その他の映像プログラムに関するデータ（例えば具体的なタイトル名など）が得られる場合には、それらのデータについても、タイトルデータとしてディスクに記録させても良い。
【００３３】
その後、ディスクＡに記録された映像プログラムに対しての編集を開始させる際には（ステップＳ１３）、ディスク記録再生装置１０のメモリ３１に記憶されたプロジェクトの一覧表示を行う。このとき、そのときのディスクＡに記録された映像プログラムに付随するタイトルデータと、メモリ３１に記憶されたデータとを使用して、ディスクに記録された映像プログラムが、メモリ３１にプロジェクトデータの一部として記憶させたデータと一致するかの判別処理を行い、その判別に基づいてプロジェクトの一覧表示中に対応した表示を行う（ステップＳ１４）。ここでの判別処理を行うのは、編集作業を行う前にディスクＡが別のディスクに交換されているような場合に、誤って編集作業が行われないようにするためである。この判別処理の詳細については、図５のフローチャートを参照して後述する。
【００３４】
そして、プロジェクトの一覧表示の中から選択されたプロジェクトについて、実際の編集作業に移ることができるようにしてある（ステップＳ１５）。その編集作業で、例えば、映像プログラムの中の再生を行う各シーンの始点，終点や、各シーンの再生順序などの設定を行い、その設定された編集データを、プロジェクトデータとしてメモリ３１に保存する（ステップＳ１６）。なお、後述するようにステップＳ１５で、実際の編集作業に移ることができるのは、プロジェクトの一覧表示された中で、一致が検出されたプロジェクトに制限させても良い。
【００３５】
その後、ディスク記録再生装置１０のディスクトレイ２０からディスクＡを取り出して、記録可能な別のディスクＢを用意して、ディスクトレイ２０に装着する。そして、編集された映像プログラムのダビングを開始させる操作があると、ディスク記録再生装置１０の制御部３０は、テープを再生させる制御データをビデオカメラレコーダ４０に対して送る（ステップＳ１７）。ビデオカメラレコーダ４０では、その制御データの受信に基づいて、テープカセットの再生を行い、その再生データをディスク記録再生装置１０に送る。ディスク記録再生装置１０では、送られてくる再生データに付加されたタイムコードと編集データとの比較から、記録するイン点であると判断したとき、ディスクＢへの録画を開始させ、アウト点でなったら録画を停止させる（ステップＳ１８）。タイムコードは、例えば再生された映像データの１フレーム単位で送られてくるコードである。
【００３６】
このようにしたことで、ディスクＢには、編集された映像プログラムが記録されることになる。なお、プロジェクトデータを消去しない限りは、メモリ３１に保存されたプロジェクトデータを使用して、さらに別のディスクＣ，ディスクＤ…を用意して、ディスクＢと同様に、それぞれのディスクＣ，Ｄに順次編集された映像プログラムをダビングすることも可能である。
【００３７】
次に、図３に示したディスクＡへの最初のダビング時の処理の詳細を、図４のフローチャートを参照して説明する。このフローチャートにおいて、ディスクはディスク記録再生装置１０側に装着されたディスクであり、テープはビデオカメラレコーダ４０に装着されたビデオテープカセット内のビデオテープのことである。まず、ユーザ操作でダビングを開始させる指示があると（ステップＳ２１）、制御部３０は、ディスクの録画ポーズ処理を行う（ステップＳ２２）。このとき、制御部３０に接続されたメモリ３１に、プロジェクトデータの一部として、現在時刻のデータを記憶させる（ステップＳ２３）。
【００３８】
その後、ビデオカメラレコーダ４０に再生開始指令を送り、データの再生を開始させる（ステップＳ２４）と同時に、ディスクの録画を開始させる（ステップＳ２５）。そして、ディスク記録再生装置１０の制御部３０で、テープの停止を検出すると（ステップＳ２６）、ディスクの録画を停止させ（ステップＳ２７）、このとき記録した映像の再生長を、プロジェクトデータの一部としてメモリ３１に記憶させる（ステップＳ２８）。
【００３９】
次に、このようにして記録されたディスクに対して編集作業を行う前に実行される、ディスクに記録された映像プログラムの判別処理（図３でのステップＳ１４の判別作業に相当）を、図５のフローチャートを参照して説明する。まずユーザは、プロジェクトの一覧表示を行う操作を行う（ステップＳ３１）。このプロジェクトの一覧表示は、ディスク記録再生装置１０のメモリ３１に保存されたプロジェクトデータに基づいて実行される。
【００４０】
この一覧表示が指示されると、制御部３０は、メモリ３１から読み出すプロジェクト番号Ｉを順に設定し（ステップＳ３２）、その設定されたＩ番目のプロジェクトデータを、メモリ３１から読み出す（ステップＳ３３）。次に、このとき装着されたディスクに記録されたタイトルデータを順に読み出す（ステップＳ３４）。ここではＪ番目のタイトルデータをディスクから読み出す（ステップＳ３５）。そして、Ｉ番目のプロジェクトデータで示される日付（年月日時分秒）と、Ｊ番目のタイトルデータで示される日付（年月日時分秒）とを比較する（ステップＳ３６）。この比較で一致しない場合には、ステップＳ３４に戻って、別のタイトルデータをディスクから読み出させる。そして、ステップＳ３６で一致が検出された場合には、Ｉ番目のプロジェクトデータで示される再生長と、Ｊ番目のタイトルデータで示される再生長とを比較する（ステップＳ３７）。この比較で一致しない場合には、ステップＳ３４に戻って、別のタイトルデータをディスクから読み出させる。このようにして、そのとき候補となっているプロジェクトデータに対して、ディスクに記録された全てのタイトルデータが順に比較される。なお、ステップＳ３６での一致判定としては、秒単位での完全一致を検出するのではなく、ある程度（例えば±数秒程度）の誤差範囲を持たせて、一致判定するようにしても良い。
【００４１】
そして、ステップＳ３７で再生長についても一致が検出されると、タイトルとプロジェクトが一致したことを示す表示を、プロジェクトの一覧中に行い（ステップＳ３８）、ステップＳ３２に戻る。そして、メモリ３１に記憶された別のプロジェクトデータを読み出して、その読み出したプロジェクトデータに対して、ステップＳ３３からステップＳ３８までの同様の処理を行う。
【００４２】
そして、ステップＳ３２でメモリ３１に記憶された全てのプロジェクトデータの読み出を行うと、一致処理を終了する（ステップＳ３９）。
【００４３】
図６は、ディスク記録再生装置１０に接続された表示装置の画面に表示される、プロジェクトの一覧表示の一例を示した図である。ここでは、プロジェクトの一覧表示を、「ＤＶ編集リスト」として表示するようにしてあり、メモリ３１に４つのプロジェクトデータが記憶されている場合の例としてある。即ち、４つのプロジェクトデータに基づいた、４つのプロジェクト表示ａ，ｂ，ｃ，ｄを行う例としてある。ここでは、各プロジェクト表示ａ〜ｄは、予め入力されたタイトルが文字などで表示させてある。また、それぞれのプロジェクト毎の総再生長と、プロジェクトの編集日を表示させてある。未編集のプロジェクトについては、ディスクに記録させた月日を表示させてある。
【００４４】
そして、図６の表示例では、図５のフローチャートに示した処理で、４つのプロジェクト表示ａ〜ｄの内の、２つのプロジェクト（プロジェクト表示ｂ，ｃに対応）が、このとき装着されたディスクに記録されたタイトルデータと一致した場合としてある。このとき、２つのプロジェクト表示ｂ，ｃの先頭部分に、ディスクを示す印ｅを表示させてある。なお、このディスクを示す印ｅを表示させる条件としては、既に説明したようなダビング処理でディスクにダビングされた映像プログラムであって、編集されてないオリジナルの映像プログラムが記録されたディスクが挿入されている場合である。
【００４５】
図６に示すようにディスクを示す印ｅを表示させたプロジェクトを選択する処理をユーザ操作で行って、画面中の決定キーｆを選択するユーザ操作で行うことで、そのプロジェクトの映像がディスクから再生されて、編集作業に移ることができる。なお、プロジェクトを選択する際には、ディスクを示す印ｅが表示されたプロジェクトだけが選択できるように、制限させても良い。或いは、ディスクを示す印ｅが表示されてないプロジェクトがユーザ操作で選択された場合には、例えば「該当するディスクが装着されていません」などと表示させて、誤操作であることをユーザに促すようにしても良い。
【００４６】
このようにして、ディスク記録再生装置１０側のメモリ３１に保存されたプロジェクトデータと、そのときディスク記録再生装置１０に装着されたディスクに記録されたタイトルデータとの一致判定を行うことで、正しいプロジェクトデータに基づいた編集作業が行われることになり、誤った編集作業が行われるのを効果的に阻止できる。
【００４７】
なお、ここまで説明した例で、プロジェクトの一覧表示を行う際に、プロジェクトデータとディスクに記録されたタイトルデータとの比較を行うようにしたが、ビデオカメラレコーダ４０側のテープカセットに記録された映像プログラムについても、最初にダビングした際の映像プログラムと一致するか否か判別して、そのことを表示させたり、編集の制限などを行うようにしても良い。
【００４８】
図７は、この場合の処理例を示した図である。この図７は、図３に示した処理に対応する部分には同じステップ番号を付与してあり、ステップＳ１４までのディスクＡの判別処理までは、図３の処理と全く同じである。但し、最初のダビング時（ステップＳ１１）には、ビデオカメラレコーダ４０側で再生した映像プログラムを特定するのに必要なデータについても、ディスク記録再生装置１０の制御部３０が得て、プロジェクトの一部としてメモリ３１に記憶させる必要がある。このビデオカメラレコーダ４０側で再生した映像プログラムを特定するのに必要なデータとしては、例えば、映像データの記録日時、タイムコードなどのデータがある。
【００４９】
そして図７の例では、ステップＳ１４でのディスクＡに記録されたタイトルデータと、ディスク記録再生装置１０側のメモリ３１に保存されたプロジェクトデータとの比較を行った後、ビデオカメラレコーダ４０に装着されたテープカセットに記録された映像データが、メモリ３１に記憶されたプロジェクトデータと一致するものがあるか比較する（ステップＳ１９）。この比較で、一致するものがある場合には、例えばプロジェクトの一覧表示を行う際に、対応した印などを表示させ、その印のあるプロジェクトをユーザに選択させる。或いは、その処理で一致するプロジェクトがある場合には、その一致したプロジェクトを自動的に選択する。その後、ステップＳ１５の編集作業に移る。
【００５０】
このようにして、映像の送出側に用意された映像プログラムの一致判定まで行うことで、より確実に編集作業が行えることになる。なお、この図７の処理の中のステップＳ１９でのテープカセットに記録された映像プログラムの判別作業は、ステップＳ１８での編集済のダビングを行う直前に行うようにしても良い。
【００５１】
なお、上述した実施の形態では、ＤＶＤレコーダと称される光ディスクのディスク記録再生装置に適用した例としたが、その他の記録媒体の記録再生装置にも適用可能である。例えば、光磁気ディスクなどのその他のディスク状の記録媒体を使用した記録再生装置でも良く、或いは、ディスク以外のテープ状の記録媒体や、半導体メモリなどを使用した記録媒体を使用した記録再生装置にも適用可能である。但し、いずれの場合であっても記録媒体は記録再生装置本体に対して着脱自在に構成されている必要がある。
【００５２】
また、上述した実施の形態では、一致を検出するためのデータとして、記録した日付（年月日時分秒）のデータと再生長のデータとを使用したが、映像データを特定するためのその他の特定のデータを使用しても良い。
【００５３】
また、上述した実施の形態では、映像データなどを記録再生装置に供給する機器として、図２に示した如きビデオカメラレコーダとしたが、その他の映像機器を接続して映像信号源として使用しても良い。
【００５４】
【発明の効果】
本発明によると、特定データで示される映像と、記録媒体に記録された映像とが一致する場合にだけ、そのことが表示され、表示に基づいて正しい映像プログラムに対してだけ編集が実行されるようになり、誤って別の媒体に記録された映像データに対して編集が行われるような失敗を効果的に防止できる。
【００５５】
この場合、一致した映像データであることが表示された映像データに対してだけ、編集を実行させるようにしたことで、より効果的な誤編集の防止処理が行えることになる。
【００５６】
また、記憶手段に記憶された編集データに基づいて、映像データの供給源に対する再生制御データを生成させて、映像データが記録された記録媒体とは別の記録媒体に、編集された映像データを記録させる制御を行うことで、この記録再生装置での制御に基づいて、編集済の映像データを記録媒体に記録させる処理が行える。
【００５７】
また、映像データの供給源に対しても、記憶手段に記憶された特定データに基づいて、映像データと照合を行うことで、より確実に映像データの照合処理が行えることになり、より効果的に編集やダビングの失敗を防止できる。
【００５８】
また、特定データは、映像データの記録開始時間、又は映像データの長さのデータであることで、これらのデータを使用して確実に照合ができる効果を有する。
【図面の簡単な説明】
【図１】本発明の一実施の形態によるディスク記録再生装置の構成例を示すブロック図である。
【図２】本発明の一実施の形態による接続例を示した斜視図である。
【図３】本発明の一実施の形態による編集されたディスクの作成処理例を示した説明図である。
【図４】本発明の一実施の形態による一致処理に必要なデータを保存する処理例を示したフローチャートである。
【図５】本発明の一実施の形態による一致処理例を示したフローチャートである。
【図６】本発明の一実施の形態による表示例を示した説明図である。
【図７】本発明の他の実施の形態による編集されたディスクの作成処理例を示した説明図である。
【符号の説明】
１…アンテナ、２…ケーブル、１０…ディスク記録再生装置、１１…チューナ、１２…切換スイッチ、１３…入力端子、１４…アナログ／デジタル変換器、１５…ＭＰＥＧエンコーダ、１６…ＩＥＥＥ１３９４方式用ポート、１７…インターフェース部、１８…記録再生処理部、１９…光学ピックアップ、２０…ディスクトレイ、２１…光ディスク、２２…スピンドルモータ、２３…ＭＰＥＧデコーダ、２４…デジタル／アナログ変換器、２５…混合器、２６…表示処理部、２７…出力端子、３０…制御部、３１…メモリ、３２…表示パネル、３３…操作キー、４０…ビデオカメラレコーダ、４１…ＩＥＥＥ１３９４方式用ポート
【図１】
2004319008.tif 000003
【図２】
2004319008.tif 000004
【図３】
2004319008.tif 000005
【図４】
2004319008.tif 000006
【図５】
2004319008.tif 000007
【図６】
2004319008.tif 000008
【図７】
2004319008.tif 000009